(57)【要約】【課題】医療用手術器具の個体管理の識別に、ＲＦＩＤタグを使用する方法において、医療用手術器具は、洗浄、滅菌工程を繰り返し再生利用するため、ＲＦＩＤタグは、耐水性、耐溶剤性、耐薬品性、耐油性に優れ、高圧、高温の環境に耐えられる素材及び取り付け方法が求められる。また、特殊機械なしに、だれでも簡単に取り付けられるＲＦＩＤタグの取り付け方法が求められる。【解決手段】耐熱、耐金属性に優れた市販の低価格なＲＦＩＤタグを利用し、シリコンゴムチューブ内にＲＦＩＤタグを内蔵し、シリコン系接着剤でＲＦＩＤタグを封印することにより、外部環境の影響を受けにくくし、ＲＦＩＤタグのループアンテナの役割をするワイヤを撚りあわせ、ＲＦＩＤを医療用手術器具に結びつける方法で、誰でも簡単にＲＦＩＤタグを医療用手術器具に取りつけられる。【選択図】図３
2013033370.tif 000002
【特許請求の範囲】
【請求項１】
ＲＦＩＤタグを取り付ける方法であって、ＲＦＩＤタグには外部アンテナを取り付けられる二ヶ所の外部接点を有し、外部アンテナは、２本のワイヤであり、２本のワイヤの一端を、ＲＦＩＤタグの二ヶ所の接点に取り付ける手段と、２本のワイヤで、ＲＦＩＤタグを対象物に取り付ける手段と、を有し、２本のワイヤが、ＲＦＩＤタグのアンテナを形成する手段と、ＲＦＩＤを対象物に取り付ける手段と、を兼ねることを特徴とするＲＦＩＤタグの取り付け方法。
【請求項２】
上記ＲＦＩＤタグと、タグに取り付けられた２本のワイヤを、弾力性があり、耐熱性、耐水性、耐溶剤性、耐薬品性、耐油性に優れるチューブ内部に配置する手段と、ワイヤを内蔵したチューブを対象物に巻きつける手段と、を有し、チューブ両端から出た２本のワイヤを結ぶことによりＲＦＩＤタグを対象物に固定する手段と、チューブ両端から出た２本のワイヤを半田付けすることにより、ループアンテナを形成する手段、を有することを特徴とする請求項１記載のＲＦＩＤタグの取り付け方法。
【請求項３】
前述のチューブが、シリコンゴムチューブであり、ワイヤが、耐熱性、耐水性、耐溶剤性、耐薬品性、耐油性に優れるエナメル線であり、シリコンゴムチューブにシリコン系接着剤を注入する手段と、シリコン系接着剤によりシリコンチューブ内部のＲＦＩＤタグを外部環境から隔離する手段と、を有することを特徴とする請求項１記載のＲＦＩＤタグの取り付け方法。
【請求項４】
前述のワイヤ連結部のシリコンチューブ外周に熱収縮チューブを配置する手段と、熱収縮後の熱収縮チューブの内径が、シリコンチューブ外径よりも小さく、熱収縮することにより、ワイヤ連結部のシリコンチューブを固定し、シリコンチューブ内部のＲＦＩＤタグをさらに外部環境から隔離する手段を有することを特徴とする請求項１記載のＲＦＩＤタグの取り付け方法。
【請求項５】
ＲＦＩＤタグを取り付ける方法であって、弾力性があり、耐熱性、防水性、耐溶剤性に優れるチューブにＲＦＩＤタグを内蔵する手段と、チューブの両端をループ状に結ぶ手段と、を有し、チューブ内径より大きい径の、円筒形の連結部品をチューブの一端に部分的に埋め込む手段と、チューブからはみ出した連結部品に、もう一端のチューブを差し込む手段と、連結部品の外周とチューブの内周の表面の摩擦力で、チューブをループ状に保持する手段と、を有することを特徴とするＲＦＩＤタグの取り付け方法。
【請求項６】
前記チューブが、シリコンゴムチューブであり、シリコンゴムチューブの外周に、更に熱収縮チューブを配置する手段と、熱収縮チューブを収縮させれば、シリコンゴムチューブの連結部を更に堅固に保持できる手段と、を有し、熱収縮チューブの収縮前の内径が、連結部品がある部分のシリコンゴムチューブの外周より大きく、熱収縮チューブの収縮後の内径が、連結部品がある部分のシリコンゴムチューブの外周より小さいことを特徴とする請求項５記載のＲＦＩＤタグの取り付け方法。
【発明の詳細な説明】
【技術分野】
【０００１】
本発明は、水、溶剤、熱、金属等に弱い性質をもつＲＦＩＤタグ（ＩＣタグ）を取り付けるのに、誰でも簡単にＲＦＩＤタグを取り付けることができ、ＲＦＩＤタグを外部環境に左右されにくい状態で取り付けることができる方法に関する。
【０００２】
特に、医療用手術器具で、手術や処置に使用し、洗浄・滅菌などの再生処理を行うステンレス、アルミニウム、銅合金、チタン、セラミックス等の材質で製造された器具を個体管理するために、医療用手術器具にＲＦＩＤタグを取り付ける方法に関し、手術、洗浄、滅菌を繰り返しても、ＲＦＩＤタグが医療用手術器具からはがれず、また医療用手術器具へのＲＦＩＤタグの取り付けも、簡単に、誰でも行える、ＲＦＩＤタグの取り付け方法に関する。
【背景技術】
【０００３】
ＲＦＩＤタグは、非接触で電気式に読み取るので、バーコードまたは二次元コードの様な光学式読み取りでないので、読み取りの信頼性が高い。また、メモリーが内蔵されているので、バーコードなどに比べて、非常に多くの情報量を書き込める。バーコードまたは二次元コードが使用できない環境でも使用できる特徴がある。
【０００４】
しかしながら、ＲＦＩＤタグは、水、溶剤、熱、金属等に弱い性質をもつ。そこで外部環境に左右されないように、ＲＦＩＤ半導体チップにアンテナを取り付け、アンテナごとセラミック、樹脂等でコーティングすることが多い。
【０００５】
しかしながら、アンテナごとセラミック、樹脂等でコーティングすれば、ＲＦＩＤタグは大きくなり、小さくなければＲＦＩＤタグを取り付けられない用途では、これらのコーティングしたＲＦＩＤタグの大きさが問題となる。
【０００６】
小さいＲＦＩＤタグで、小さいものに取り付け可能なＲＦＩＤタグが求められている。さらに、水、溶剤、熱、金属等の外部環境に左右されないＲＦＩＤタグが開発されれば、ＲＦＩＤタグの用途が広くなる。
【０００７】
中でも、医療用手術器具の個体管理識別方法に用いられるＲＦＩＤタグが求められている。医療用手術器具のトレーサビリティー管理に用いられる識別方法は、二次元コードをレーザーマーカー等で、医療用手術器具に刻印する方法と、ＲＦＩＤタグを医療用手術器具に取り付ける方法が有るが、本発明では、ＲＦＩＤタグを医療用手術器具に取り付け器具の個体管理する技術に関する。
【０００８】
ＲＦＩＤタグを医療用手術器具に取り付ける方法では、先行技術文献１及び２にあるようにセラミックＲＦＩＤタグをステンレスハウジングに内蔵し、ステンレスハウジングを医療用手術器具にレーザー溶接する方法が開発され、日本の病院において、手術器具にＲＦＩＤタグを取り付け個体管理するシステムとしては、世界初の本格導入が決まり、２０１１年７月からの運用開始が予定されている。
【０００９】
医療用手術器具の個体管理は、今まで十分に管理されていなく、手術中に器具の体内への置き忘れ、器具の破損による破片の体内への紛失等の事故が後を絶たないうえに、２００６年２月と２００７年４月の２度にわたり、脳外科手術による医療用手術器具を介したクロイツフェルトヤコブ病の二次感染の可能性が、マスコミにより報道された。これらの背景を受け厚生労働省は、２００６年に医療用手術器具の個体管理を実施するよう通達を出し、さらに２００７年４月の医療法改正では、医療用手術器具を安全に使用するため、耐用年数、使用回数、使用頻度等を把握し、医療用手術器具を個体管理するよう義務付けた。しかしながら、医療用手術器具を個体管理するための技術確立が遅れ、現在医療用手術器具を個体管理しているケースは少ない。低コストで、簡単に医療用手術器具に取り付けられ、個体管理出来るＲＦＩＤタグの技術の確立が急がれている。
【先行技術文献】
【非特許文献】
【００１０】
【非特許文献１】山下和彦著「ＲＦＩＤを用いた病院内の手術器具の情報管理に関する研究」インターネットサイトｈｔｔｐ：／／ｗｗｗ．ｔａｆ．ｏｒ．ｊｐ／ｐｕｂｌｉｃａｔｉｏｎ／ｋｊｏｓｅｉ＿２３／ｉｎｄｅｘ−１／ｐａｇｅ／ｐ２４５．ｐｄｆ
【非特許文献２】山下和彦著「ＲＦＩＤを用いた病院内の手術器具の情報管理に関する研究」インターネットサイトｈｔｔｐ：／／ｗｗｗ．ｔａｆ．ｏｒ．ｊｐ／ｐｕｂｌｉｃａｔｉｏｎ／ｋｊｏｓｅｉ＿２４／ｉｎｄｅｘ−１／ｐａｇｅ／ｐ２４２．ｐｄｆ
【発明の概要】
【発明が解決しようとする課題】
【００１１】
二次元コードを使用する、医療用手術器具個体管理方法では、二次元コードの読み取りが、光学式読み取りになり、コード部の汚れ、キズ等により、読み取りミスが起きやすい。医療用手術器具は手術、洗浄、滅菌を繰り返し、長期間使用されるため、キズや錆が着くケースが多い。また、手術後、洗浄前の読み取りには血液などの付着もあり、光学式読み取りは問題が多い。また、数ミリから５ミリ程度の小さなコードであり、二次元コードを正確に読み取るには、光学式読み取り機の焦点があった特定の場所に、一点一点医療用手術器具の二次元コードを正確に置かなければならず、二次元コードの場所を確認し、角度、距離を考えながら読み取る作業が必要で、光学式読み取りは煩雑な作業であるという課題がある。
【００１２】
また、医療用手術器具に二次元コードを刻印するには、レーザーマーカーを用いて刻印するケースがほとんどである。病院内で大量に保有している医療用手術器具に、すべて
二次元コードを刻印するためには、レーザーマーカーを病院に持ち込み刻印するか、医療用手術器具を病院外に持ち出し刻印を外部委託する方法が有る。前者の場合、業者がレーザーマーカーを病院に持ち込み、刻印するが、費用が高く、作業速度が遅いため、長期間の刻印作業となる。後者の場合、何時手術が始まるかわからない状況で、医療用手術器具を病院外に持ち出すのが難しいという課題がある。また、レーザーマーカーは高価な機器であり、操作を熟知した専門スタッフが必要で、病院が所有するのは現実的ではない。
【００１３】
二次元コードは、情報の書き込みができず、読み取り装置と、サーバー等に蓄積されたデータベースと通信を行い、データの照合をしながら、使用する必要がある。また二次元コードは情報量が固定化しているため、情報の柔軟性が無く、全てデータベース側で情報を保持しなければならない。
【００１４】
ＲＦＩＤタグは情報を書き込むことができ、読み取りも光学式でないため、読み取りの信頼性が高く、ＲＦＩＤタグで医療用手術器具を個体管理するのが合理的である。しかしながら、ＲＦＩＤタグは、水、溶剤、熱、金属等の外部環に影響を受けやすく、さらに小型化が難しいという課題がある。
【００１５】
それらのＲＦＩＤの短所を克服するために、上述のセラミックＲＦＩＤタグが開発され、ステンレスハウジングに組み込んだセラミックＲＦＩＤタグを、医療用手術器具に溶接する方法が開発された。しかしながら、セラミックＲＦＩＤタグの価格が高価であり、ＲＦＩＤタグの医療用手術器具への取り付けが難しいという課題がある。
【００１６】
上述のセラミックＲＦＩＤタグの医療用手術器具への取り付けは、医療用手術器具は高温、高圧での滅菌処理工程を繰り返し行われるため、接着剤でははがれてしまう恐れがある。そのため、セラミックＲＦＩＤタグを収めたステンレス製の金属ホルダーを、医療用手術器具にレーザー溶接する方法がとられたが、業者が溶接機を病院に持ち込み、溶接する必要があり、費用が高く、作業速度が遅いため、長期間の作業となるという課題がある。
【００１７】
また、医療用手術器具にＲＦＩＤタグをレーザー溶接する場合、耐用年数、使用回数、使用頻度による、医療用手術器具の更新時には、ＲＦＩＤタグは簡単には取り外せず、ＲＦＩＤタグは使い捨てとなる。また、ＲＦＩＤタグの故障時には、医療用手術器具が使い捨てとなるという課題がある。
【００１８】
さらに、上述のセラミックＲＦＩＤタグが小型化されたとはいえ、まだ、直径５ｍｍ、厚さ２ｍｍもあり、ＲＦＩＤタグを収納したステンレス製の金属ホルダーを、医療用手術器具にレーザー溶接する場合、ホルダーが大きく出っ張り、手術の操作性を阻害しない場所に、ＲＦＩＤタグを取り付けなければならず、取り付け場所が限定されるという課題がある。
【００１９】
また、直径５ｍｍ、厚さ２ｍｍのセラミックＲＦＩＤタグを取り付ける場所が無い医療用手術器具も数多くある。そのため一部の医療用手術器具にセラミックＲＦＩＤタグを取り付けても、医療用手術器具全体を個体管理できないという課題がある。
【００２０】
医療用手術器具にＲＦＩＤタグを取り付ける方法以外にも、ＲＦＩＤタグは、水、溶剤、熱、金属に弱い性質があり、外部環境に影響されにくく、簡単に対象物にＲＦＩＤを取り付ける方法が求められている。
【課題を解決するための手段】
【００２１】
上記課題を克服するため、本発明の、ＲＦＩＤタグの取り付け方法は、ＲＦＩＤタグサイズが３．２ｍｍｘ１．６ｍｍの超小型で（上述のセラミックＲＦＩＤタグの面積のわずか２６％）、厚さが０．５５ｍｍの超薄型で、しかも耐熱、耐金属性に優れた性質を有した、広く市場で出回っており、量産効果で、コストが安い、ＲＦＩＤタグを採用した。そのタグを誰でも簡単に取り付けられ、しかも簡単に取り外せる。医療用手術器具へ取り付けた場合、高温、高圧での滅菌処理工程を繰り返してもはがれない、しかもＲＦＩＤタグを外部環境から隔離して取りつけられる、ＲＦＩＤの取り付け方法を提供することを特徴としている。
【００２２】
上記小型ＲＦＩＤタグには外部アンテナを接続する２つの外部接点があり、その接点に２本のワイヤの一端を半田付けし、シリコンゴムチューブにＲＦＩＤタグとワイヤを内蔵させ、ワイヤの他端がシリコンゴムチューブよりはみ出しており、ワイヤを医療用手術器具に巻き付け、他端の２本のワイヤをねじることにより、ＲＦＩＤタグを医療用手術器具に固定することができ、また、２本のワイヤのねじった部分を半田付けすることにより、ワイヤがＲＦＩＤタグのループアンテナとして機能する、二つの目的を兼ねることができる、ＲＦＩＤの取り付け方法を提供することを特徴としている。
【００２３】
シリコンゴムチューブに内蔵されたＲＦＩＤタグを外部環境から隔離する方法として、流動性のあるシリコン系接着剤を小口から注入し、シールするＲＦＩＤの取り付け方法を提供することを特徴としている。
【００２４】
さらに収縮後の径が、シリコンゴムチューブの外径より小さな、熱収縮チューブで、連結部を固定することにより、さらに外部環境からの隔離を確実にする、ＲＦＩＤの取り付け方法を提供することを特徴としている。
【００２５】
また、医療用手術器具へのＲＦＩＤタグの取り付け以外の取り付け方法として、弾力性があり、耐熱性、防水性、耐溶剤性に優れるチューブにＲＦＩＤタグを内蔵する手段と、チューブの両端をループ状に結ぶ手段と、を有し、チューブ内径より大きい径の、円筒形の連結部品をチューブの一端に部分的に埋め込む手段と、チューブからはみ出した連結部品に、もう一端のチューブを差し込む手段と、連結部品の外周とチューブの内周の表面の摩擦力で、チューブをループ状に保持する手段と、を有するＲＦＩＤの取り付け方法を提供することを特徴としている。
【００２６】
さらに、前述のチューブが、シリコンゴムチューブであり、シリコンゴムチューブの外周に、更に熱収縮チューブを配置する手段と、熱収縮チューブを収縮させれば、シリコンゴムチューブの連結部を更に堅固に保持できる手段と、を有し、熱収縮チューブの収縮前の内径が、連結部品がある部分のシリコンゴムチューブの外周より大きく、熱収縮チューブの収縮後の内径が、連結部品がある部分のシリコンゴムチューブの外周より小さい、ＲＦＩＤの取り付け方法を提供することを特徴としている。
【発明の効果】
【００２７】
高価なセラミックＲＦＩＤタグを使用せず、安価な量産タグを使用でき、しかも、取り付け方法が簡単なため、コストを大幅に低減でき、病院が保有し、現在使用されている医療用手術器具にＲＦＩＤタグを病院内で簡単に後付けでき、医療用手術器具の個体管理の普及を推し進めることができる。
【００２８】
取り付け部材も、シリコンゴムチューブ、熱収縮チューブ、エナメル線、連結部品等の市場に出回っている量産品のみで構成され、取り付け部材コストが格段に安くできる。
【００２９】
レーザー溶接機の様な、取り扱いに専任者が必要な高額装置は必要なく、半田ごてと、熱収縮チューブを収縮させるヒートガンがあれば、誰でも、簡単に取り付けることができる。
【図面の簡単な説明】
【００３０】
【図１】図１は本発明の第１実施形態のＲＦＩＤタグを医療用手術器具に取り付けた構図を表す平面図である。
【図２】図２は本発明の第２及び第３実施形態のシリコンゴムチューブに内蔵されたＲＦＩＤタグを医療用手術器具に取り付けた構図を表す平面図である。
【図３】図３は本発明の第２及び第３実施形態のシリコンゴムチューブに内蔵されたＲＦＩＤタグを医療用手術器具に取り付けた構図を表す断面図である。
【図４】図４は本発明の第４実施形態のシリコンゴムチューブに内蔵されたＲＦＩＤタグを医療用手術器具に取り付けた構図を表す断面図である。
【図５】図５は本発明の第５実施形態のシリコンゴムチューブに内蔵されたＲＦＩＤタグを連結部品で対象物に取り付けた構図を表す断面図である。
【図６】図６は本発明の第６実施形態のシリコンゴムチューブに内蔵されたＲＦＩグを連結部品と熱収縮チューブで対象物に取り付けた構図を表す断面図である。
【発明を実施するための形態】
【００３１】
以下、添付の図面を参照して、本発明のＲＦＩＤタグの取り付け方法の実施形態を説明する。水、溶剤、熱、金属等に弱い性質をもつＲＦＩＤタグを周りの環境に左右されにくいように取り付けるためには、工夫が必要である。特に医療用手術器具にＲＦＩＤタグを取り付ける場合、金属製の器具が多く、タグが小型でなくてはならない、しかも手術、洗浄、滅菌を繰り返し、再利用されるため、タグの器具からの脱落防止が求められ、滅菌工程では高圧水蒸気の中で、滅菌されるため、接着剤による取り付けでは脱落を防げない。
そのため、ＲＦＩＤタグを金属性のハウジングにいれ、ハウジングを手術器具に溶接するような方法が取られている。本発明では、小型ＲＦＩＤタグに２本のワイヤ外部アンテナを取り付け、タグとアンテナをシリコンゴムチューブに内蔵し、アンテナの役割を兼ねるワイヤで、タグを手術器具に取り付けることにより、タグの脱落防止ができ、シリコンゴムチューブとシリコン系接着剤をシリコンゴムチューブに注入することによりタグを外部環境から隔離することにより、ＲＦＩＤタグを医療用手術器具に取り付ける方法を確立する。
【実施例１】
【００３２】
まず図１で、本発明の、第１実施形態を図１で説明する。図１は、ＲＦＩＤタグを医療用手術器具に取り付けた構図を表す。ＲＦＩＤタグ２は外部アンテナ４と接続できる外部接点３をもつ。また、ＲＦＩＤタグは耐熱仕様（１５０度Ｃ、２時間）で、超小型ＲＦＩＤタグ（３．２ｍｍ  ｘ  １．６ｍｍ  ｘ  ０．５５ｍｍ）の市販タグを採用した。このＲＦＩＤタグ２は外部アンテナ４と接続できる外部接点３を持ち、アンテナとの接続は半田付け等の導電性接続、または絶縁性接着剤で非導電性接続もできる。第１実施形態では、アンテナ４には耐熱性、耐溶剤性に優れるＡＩＷエナメル線を採用した。ＲＦＩＤタグ２の外部接点３にＡＩＷエナメル線の外部アンテナ４を半田付けした。このエナメル線を医療用手術器具に巻き付け、ＲＦＩＤタグが医療用手術器具１から脱落するのを防ぐとともに、エナメル線は、外部アンテナの役割も兼ねている。図１では、アンテナ４の一端はＲＦＩＤタグ２に半田付けされ、他端はオープンになっているが、２本のアンテナの他端を半田付けしループアンテナにしてもよい（図示せず）。ＲＦＩＤタグにはアンテナを既に取り付けた状態で納入するので、医療用手術器具１に取り付けるには、エナメル線を器具に巻きつけるだけで済み、簡単にＲＦＩＤタグを取り付けられる。ループアンテナにするときには、半田ごてがあればだれでも取り付けできる。
【実施例２】
【００３３】
次に本発明の、第２実施形態を図２及び図３で説明する。図２はシリコンゴムチューブに内蔵されたＲＦＩＤタグを医療用手術器具に取り付けた構図を表す平面図である。図３は図２の断面側面図である。ＲＦＩＤタグ２の外部接点３にＡＩＷエナメル線アンテナ４を半田付けし、シリコンゴムチューブ７に内蔵した平面図である。より詳細な取り付け方法を説明するために、図２の断面側面図３で下記の様に説明する。図３では、シリコンゴムチューブ７に、ＲＦＩＤタグ２にアンテナ４を取り付けたものを内蔵し、アンテナ４の一端はシリコンゴムチューブ７の両端から出ている。その２本のアンテナを撚りあわせ、ＲＦＩＤタグ２とシリコンゴムチューブ７を医療用手術器具１に固定する。アンテナ４の、撚りあわせ部分１０を半田付けすれば、ループアンテナとなる。
【実施例３】
【００３４】
次に本発明の、第３実施形態を図３で説明する。シリコンゴムチューブ７内のＲＦＩＤタグ２をさらに外部環境の影響を受けにくくするため、シリコンゴムチューブ７の両端からシリコン系接着剤１１を注入し、ＲＦＩＤタグ２をシリコンゴムチューブ７内に封印する。図３は医療用手術器具１に取り付けられた、ＲＦＩＤタグ２、シリコンゴムチューブ７、アンテナ４、シリコン系接着剤１１、アンテナ撚りあわせ部分１０の構図を表す断面図である。
【実施例４】
【００３５】
次に本発明の、第４実施形態を図４で説明する。図４は、図３で示したシリコンゴムチューブ７の両端の連結部の外周に、熱収縮チューブ１２を配置した、断面側面図である。
図では、収縮前の熱収縮チューブを表し、シリコンゴムチューブ７の外径より熱収縮チューブ１２の内径が大きい。熱収縮後は、熱収縮チューブ１２の内径は、シリコンゴムチューブの外径より小さくなる。シリコンゴムチューブ７の肉厚とエナメル線アンテナ４の外径を合計した径よりも、熱収縮後の熱収縮チューブ１２の内径が小さくなるようにすることにより、シリコンゴムチューブ７の両端の連結部をしっかりと固定することができる。
【実施例５】
【００３６】
次に本発明の、第５実施形態を図５で説明する。この実施形態では、ＲＦＩＤタグ２はアンテナ内蔵またはアンテナなしで近接読み取りができるタグを使用し、シリコンゴムチューブ７内にＲＦＩＤタグ３を内蔵し、シリコンゴムチューブ７をループ状に連結することにより、ＲＦＩＤタグを外部環境の影響を受けにくい状態にする。図５で示すように連結部品９の外径は、シリコンゴムチューブ７の内径より大きく、シリコンゴムの弾性を利用して、シリコンゴムを押し広げながら、連結部品９をシリコンゴムチューブ７に挿入する。連結部品９とシリコンゴムチューブ７の摩擦力によりシリコンゴムのループ形状を保持する。連結部品９をシリコンゴムチューブ７の両端に差し込むだけで、様々な対象物１３に取り付けが可能な、簡単で、耐環境性に優れた、ＲＦＩＤの取り付け方法を示す。
【実施例６】
【００３７】
次に本発明の、第６実施形態を図６で説明する。図６で示すように熱収縮チューブ１２を連結部品９の外周にあるシリコンゴムチューブ７の外側に配置する。図６では、収縮後の熱収縮チューブを表し、熱収縮チューブ１２の内径は、連結部品９の外径より小さくなる。この様に熱収縮チューブにより、さらに強力に連結部を保持できる。
【産業上の利用可能性】
【００３８】
現状医療現場のほとんどで、医療用手術器具を個体管理していない状況が続いている。
どの患者に、何の手術で使用された器具なのかの使用履歴、手術後の滅菌処理の履歴、耐用年数の把握、病院内の手術器具の在庫管理、手術後器具の患者体内への置き忘れ事故防止、等医療用手術器具を個体管理すれば多くの問題点が改善される。病院経営上でも、病院内の手術器具の在庫管理を徹底することにより、不要、重複器具の圧縮、買い替え時期の管理等多くの利点がある。何よりも、手術器具を介しての感染、手術器具の置き忘れ、手術開始時の手術器具セットの不備等、人命にかかわる分野での改善は医療用手術器具を個体管理以外に考えられない。ＲＦＩＤタグを医療用手術器具に取り付けられるようにすることにより、上記のような多くの問題が解決される。
【符号の説明】
【００３９】
１  医療用手術器具
２  ＲＦＩＤタグ
３  ＲＦＩＤタグの外部接点
４  アンテナ
７  シリコンゴムチューブ
８  接着剤ディスペンサー
９  連結部品
１０  アンテナ撚りあわせ部分
１１  シリコン系接着剤
１２  熱収縮チューブ
１３  対象物
【図１】
2013033370.tif 000003
【図２】
2013033370.tif 000004
【図３】
2013033370.tif 000005
【図４】
2013033370.tif 000006
【図５】
2013033370.tif 000007
【図６】
2013033370.tif 000008